(57)【要約】本開示のある態様は、超高スループット（ＶＨＴ）無線システムにおいてサウンディング・フィードバックを送信するための技術に関する。サウンディング・フィードバックは、ユーザ局（ＳＴＡ）から送信されうる。このフィードバックは、ＳＴＡに関連付けられた無線チャネルのある数の特異値と、ある数のビームフォーミング行列とを備えうる。さらに、サウンディング・フィードバックは、このフィードバックが、単一ユーザ（ＳＵ）のフィードバックを表すか、または、マルチ・ユーザ（ＭＵ）のフィードバックを表すかを示すためのビットを備えうる。
2013541889.tif 000002
【特許請求の範囲】
【請求項１】
無線通信のための方法であって、
単一ユーザ（ＳＵ）通信および複数ユーザ（ＭＵ）通信のためのサウンディング・フィードバックのための統一された構成を、装置において生成することと、ここで、前記サウンディング・フィードバックは、前記装置に関連付けられたチャネルの１または複数の特異値、または、１または複数のビームフォーミング行列のうちの少なくとも１つを備える、
前記サウンディング・フィードバックを前記チャネルで送信することと、
を備える方法。
【請求項２】
前記統一された構成は、前記サウンディング・フィードバックが、前記ＳＵ通信に関連付けられているか、または、前記ＭＵ通信に関連付けられているかを示すインジケーションを備える、請求項１に記載の方法。
【請求項３】
前記１または複数の特異値は、空間−時間ストリーム毎の信号対雑音比（ＳＮＲ）で伝送される、請求項１に記載の方法。
【請求項４】
前記１または複数のビームフォーミング行列のおのおのは、前記チャネルを表す行列の特異値分解（ＳＶＤ）に関連付けられた固有ベクトル行列の１または複数の列を備え、
前記１または複数のビームフォーミング行列のおのおのは、Ｎｇ≧１であるＮｇ個のトーン毎に、通信のためにサンプルされ、
前記サウンディング・フィードバックは、前記１または複数のビームフォーミング行列がサンプルされるトーンに関連付けられたサブキャリアで送信される、請求項１に記載の方法。
【請求項５】
前記１または複数のビームフォーミング行列がサンプルされるトーンは、ガード帯域近傍のトーンまたはＤＣトーンのうちの少なくとも１つを備え、
前記１または複数のビームフォーミング行列がサンプルされるトーンは、パイロット・トーンを備えない、請求項４に記載の方法。
【請求項６】
前記サブキャリアは、２０ＭＨｚ、４０ＭＨｚ、８０ＭＨｚ、または１６０ＭＨｚのチャネルの帯域幅に関連付けられている、請求項４に記載の方法。
【請求項７】
パラメータＮｇは、前記チャネルの周波数選択性にしたがって選択される、請求項４に記載の方法。
【請求項８】
前記装置が、マルチ・ユーザ複数入力複数出力（ＭＵ−ＭＩＭＯ）ダウンリンク送信を受信することが可能であれば、前記固有ベクトル行列がサンプルされるすべてのサブキャリアについて、前記１または複数のビームフォーミング行列の各列に関連付けられた信号対雑音比（ＳＮＲ）に関する情報、または、前記固有ベクトル行列のランクに関する情報、のうちの少なくとも１つを、前記統一された構成に含めること、をさらに備える請求項４に記載の方法。
【請求項９】
前記統一された構成の１または複数のフィールドへ、ヌル情報を埋めることをさらに備え、
前記装置が、マルチ・ユーザ複数入力複数出力（ＭＵ−ＭＩＭＯ）ダウンリンク送信を受信できない場合、前記フィールドは、前記固有ベクトル行列がサンプルされるすべてのサブキャリアについて、前記１または複数のビームフォーミング行列の各列に関連付けられた信号対雑音比（ＳＮＲ）、または、固有ベクトル行列のランク、のうちの少なくとも１つに関連付けられている、請求項４に記載の方法。
【請求項１０】
前記１または複数のビームフォーミング行列のおのおのはさらに、帯域端の周囲のトーン、または、ＤＣトーンの周囲のトーンのうちの少なくとも１つにおいて、前記固有ベクトル行列の少なくとも１つの列を備える、請求項４に記載の方法。
【請求項１１】
前記サウンディング・フィードバックを送信する前に、前記１または複数のビームフォーミング行列を周波数にわたって平滑化すること、さらに備える請求項１に記載の方法。
【請求項１２】
前記１または複数の特異値は、前記チャネルを表す行列に関連付けられた固有値の行列の対角入力のサブセットを備え、
前記１または複数の特異値は、空間−時間ストリーム毎の信号対雑音比（ＳＮＲ）で伝送され、
前記１または複数のビームフォーミング行列のおのおのは、Ｎｇ≧１であるＮｇ個のトーン毎に、通信のためにサンプルされ、
前記１または複数の特異値は、Ｎｖ≧ＮｇであるＮｖ個のトーン毎に、通信のためにサンプルされる、請求項１に記載の方法。
【請求項１３】
パラメータＮｖは、前記チャネルの周波数選択性にしたがって選択される、請求項１２に記載の方法。
【請求項１４】
前記１または複数のビームフォーミング行列は、Ｇｉｖｅｎの回転角度を用いた圧縮方式で、前記サウンディング・フィードバックで送信される、請求項１に記載の方法。
【請求項１５】
前記Ｇｉｖｅｎの回転角度を表すために使用されるビット数は、前記サウンディング・フィードバックが、前記ＳＵ通信に関連付けられているか、または、前記ＭＵ通信に関連付けられているかに依存する、請求項１４に記載の方法。
【請求項１６】
前記圧縮方法で送信されるサウンディング・フィードバックは、前記Ｇｉｖｅｎの回転角度の第１の角度を表すための５ビットと前記Ｇｉｖｅｎの回転角度の第２の角度を表すための７ビット、前記第１の角度を表すための６ビットと前記第２の角度を表すための８ビット、または、前記第１の角度を表すための７ビットと前記第２の角度を表すための９ビット、のうちの少なくとも１つを備える、請求項１４に記載の方法。
【請求項１７】
前記サウンディング・フィードバックは、無線通信規格のＩＥＥＥ  ８０２．１１体系にしたがって送信される、請求項１に記載の方法。
【請求項１８】
無線通信のための装置であって、
単一ユーザ（ＳＵ）通信および複数ユーザ（ＭＵ）通信のためのサウンディング・フィードバックのための統一された構成を生成する手段と、ここで、前記サウンディング・フィードバックは、前記装置に関連付けられたチャネルの１または複数の特異値、または、１または複数のビームフォーミング行列のうちの少なくとも１つを備える、
前記サウンディング・フィードバックを前記チャネルで送信する手段と、
を備える装置。
【請求項１９】
前記統一された構成は、前記サウンディング・フィードバックが、前記ＳＵ通信に関連付けられているか、または、前記ＭＵ通信に関連付けられているかを示すインジケーションを備える、請求項１８に記載の装置。
【請求項２０】
前記１または複数の特異値は、空間−時間ストリーム毎の信号対雑音比（ＳＮＲ）で伝送される、請求項１８に記載の装置。
【請求項２１】
前記１または複数のビームフォーミング行列のおのおのは、前記チャネルを表す行列の特異値分解（ＳＶＤ）に関連付けられた固有ベクトル行列の１または複数の列を備え、
前記１または複数のビームフォーミング行列のおのおのは、Ｎｇ≧１であるＮｇ個のトーン毎に、通信のためにサンプルされ、
前記サウンディング・フィードバックは、前記１または複数のビームフォーミング行列がサンプルされるトーンに関連付けられたサブキャリアで送信される、請求項１８に記載の装置。
【請求項２２】
前記１または複数のビームフォーミング行列がサンプルされるトーンは、ガード帯域近傍のトーンまたはＤＣトーンのうちの少なくとも１つを備え、
前記１または複数のビームフォーミング行列がサンプルされるトーンは、パイロット・トーンを備えない、請求項２１に記載の装置。
【請求項２３】
前記サブキャリアは、２０ＭＨｚ、４０ＭＨｚ、８０ＭＨｚ、または１６０ＭＨｚのチャネルの帯域幅に関連付けられている、請求項２１に記載の装置。
【請求項２４】
パラメータＮｇは、前記チャネルの周波数選択性にしたがって選択される、請求項２１に記載の装置。
【請求項２５】
前記装置が、マルチ・ユーザ複数入力複数出力（ＭＵ−ＭＩＭＯ）ダウンリンク送信を受信することが可能であれば、前記固有ベクトル行列がサンプルされるすべてのサブキャリアについて、前記１または複数のビームフォーミング行列の各列に関連付けられた信号対雑音比（ＳＮＲ）に関する情報、または、前記固有ベクトル行列のランクに関する情報、のうちの少なくとも１つを、前記統一された構成に含める手段、をさらに備える請求項２１に記載の装置。
【請求項２６】
前記統一された構成の１または複数のフィールドに、ヌル情報を埋める手段をさらに備え、
前記装置が、マルチ・ユーザ複数入力複数出力（ＭＵ−ＭＩＭＯ）ダウンリンク送信を受信できない場合、前記フィールドは、前記固有ベクトル行列がサンプルされるすべてのサブキャリアについて、前記１または複数のビームフォーミング行列の各列に関連付けられた信号対雑音比（ＳＮＲ）、または、固有ベクトル行列のランク、のうちの少なくとも１つに関連付けられている、請求項２１に記載の装置。
【請求項２７】
前記１または複数のビームフォーミング行列のおのおのはさらに、帯域端の周囲のトーン、または、ＤＣトーンの周囲のトーンのうちの少なくとも１つにおいて、前記固有ベクトル行列の少なくとも１つの列を備える、請求項２１に記載の装置。
【請求項２８】
前記サウンディング・フィードバックを送信する前に、前記１または複数のビームフォーミング行列を周波数にわたって平滑化する手段、をさらに備える請求項１８に記載の装置。
【請求項２９】
前記１または複数の特異値は、前記チャネルを表す行列に関連付けられた固有値の行列の対角入力のサブセットを備え、
前記１または複数の特異値は、空間−時間ストリーム毎の信号対雑音比（ＳＮＲ）で伝送され、
前記１または複数のビームフォーミング行列のおのおのは、Ｎｇ≧１であるＮｇ個のトーン毎に、通信のためにサンプルされ、
前記１または複数の特異値は、Ｎｖ≧ＮｇであるＮｖ個のトーン毎に、通信のためにサンプルされる、請求項１８に記載の装置。
【請求項３０】
パラメータＮｖは、前記チャネルの周波数選択性にしたがって選択される、請求項２９に記載の装置。
【請求項３１】
前記１または複数のビームフォーミング行列は、Ｇｉｖｅｎの回転角度を用いた圧縮方式で、前記サウンディング・フィードバックで送信される、請求項１８に記載の装置。
【請求項３２】
前記Ｇｉｖｅｎの回転角度を表すために使用されるビット数は、前記サウンディング・フィードバックが、前記ＳＵ通信に関連付けられているか、または、前記ＭＵ通信に関連付けられているかに依存する、請求項３１に記載の装置。
【請求項３３】
前記圧縮方法で送信されるサウンディング・フィードバックは、前記Ｇｉｖｅｎの回転角度の第１の角度を表すための５ビットと前記Ｇｉｖｅｎの回転角度の第２の角度を表すための７ビット、前記第１の角度を表すための６ビットと前記第２の角度を表すための８ビット、または、前記第１の角度を表すための７ビットと前記第２の角度を表すための９ビット、のうちの少なくとも１つを備える、請求項３１に記載の装置。
【請求項３４】
前記サウンディング・フィードバックは、無線通信規格のＩＥＥＥ  ８０２．１１体系にしたがって送信される、請求項１８に記載の装置。
【請求項３５】
無線通信のための装置であって、
単一ユーザ（ＳＵ）通信および複数ユーザ（ＭＵ）通信のためのサウンディング・フィードバックのための統一された構成を生成するように構成された回路と、ここで、前記サウンディング・フィードバックは、前記装置に関連付けられたチャネルの１または複数の特異値、または、１または複数のビームフォーミング行列のうちの少なくとも１つを備える、
前記サウンディング・フィードバックを前記チャネルで送信するように構成された送信機と、
を備える装置。
【請求項３６】
無線通信のための実行可能な命令群を含むコンピュータ読取可能な媒体であって、
前記実行可能な命令群は、
単一ユーザ（ＳＵ）通信および複数ユーザ（ＭＵ）通信のためのサウンディング・フィードバックのための統一された構成を、装置において生成することと、ここで、前記サウンディング・フィードバックは、前記装置に関連付けられたチャネルの１または複数の特異値、または、１または複数のビームフォーミング行列のうちの少なくとも１つを備える、
前記サウンディング・フィードバックを前記チャネルで送信することと、
のための命令群を備える、コンピュータ読取可能な媒体。
【請求項３７】
アクセス端末であって、
少なくとも１つのアンテナと、
単一ユーザ（ＳＵ）通信および複数ユーザ（ＭＵ）通信のためのサウンディング・フィードバックのための統一された構成を生成するように構成された回路と、ここで、前記サウンディング・フィードバックは、前記アクセス端末に関連付けられたチャネルの１または複数の特異値、または、１または複数のビームフォーミング行列のうちの少なくとも１つを備える、
前記少なくとも１つのアンテナによって、前記チャネルを介して前記サウンディング・フィードバックを送信するように構成された送信機と、
を備えるアクセス端末。
【発明の詳細な説明】
【優先権主張】
【０００１】
本特許出願は、本特許出願の譲受人に譲渡され本明細書において参照によって明確に組み込まれた２０１０年９月８日出願の「超高スループット無線システムのためのサウンディング・フィードバック・スキーム」（SOUNDING FEEDBACK SCHEMES FOR VERY HIGH THROUGHPUT WIRELESS SYSTEMS）と題された米国仮特許出願６１／３８０，８１２号の利益を主張する。
【技術分野】
【０００２】
本開示のある態様は、一般に、無線通信に関し、さらに詳しくは、超高スループット（ＶＨＴ）無線システムにおいてサウンディング・フィードバックを送信するための方法に関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイント（ＡＰ）と通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のＡＰと複数のユーザ局（ＳＴＡ）とを備える無線ネットワークでは、アップリンク方向とダウンリンク方向との両方において、複数のチャネルにおいて、異なるＳＴＡへの同時送信が生じうる。このようなシステムには、多くのチャレンジがある。例えば、ＡＰは、例えばＩＥＥＥ  ８０１．１１ｎ／ａ／ｂ／ｇ規格またはＩＥＥＥ  ８０２．１１ａｃ規格のような異なる規格を用いて信号を送信しうる。受信機ＳＴＡは、送信パケットのプリアンブルに含まれる情報に基づいて、信号の送信モードを検出することができうる。
【０００６】
空間分割多元接続（ＳＤＭＡ）送信に基づくダウンリンク・マルチ・ユーザＭＩＭＯ（ＭＵ−ＭＩＭＯ）システムは、ＡＰのアンテナ・アレイにおいてビームフォーミングを適用することによって、空間的に分離された複数のＳＴＡに同時にサービス提供しうる。サポートされているＳＴＡのおのおのから受信されるチャネル状態情報（ＣＳＩ）に基づいて、ＡＰによって、複雑な送信プリコーディング重みが計算されうる。
【０００７】
複数のＳＴＡのうちのＳＴＡとＡＰとの間のチャネルは、ＳＴＡの環境における物体の動きによって引き起こされるモード変動によって、または、ＳＴＡの移動によって経時的に変動しうるので、ＣＳＩは、ＡＰが、この特定のＳＴＡへ正確にビームフォーミングするために、定期的に更新される必要がありうる。各ＳＴＡのＣＳＩフィードバックの要求レートは、ＡＰとそのＳＴＡとの間のチャネルのコヒーレントな時間に依存しうる。不十分なフィードバック・レートは、不正確なビームフォーミングによって、逆に、パフォーマンスに悪影響を与えうる。一方、過度なフィードバック・レートは、貴重な媒体時間を浪費しながら、さらなる利益は最小しか得られない。
【０００８】
空間的に分離された複数のユーザから構成されるシナリオでは、チャネル・コヒーレンス時間、すなわち、適切なＣＳＩフィードバック・レートは、ユーザ間で、空間的に変動しうることが予期されうる。さらに、例えば、変動するチャネル条件、および、ユーザの移動のようなさまざまな要因によって、適切なＣＳＩフィードバック・レートはまた、ユーザのおのおのについて一時的に変動しうる。例えば、（高解像度テレビ（ＨＤＴＶ）またはセット・トップ・ボックスのような）いくつかのＳＴＡは、固定的でありうる一方、（ハンドヘルド・デバイスのような）その他のものは、動きうる。さらに、ＳＴＡのサブセットは、蛍光効果からの高いドップラを受けうる。最後に、異なる散乱体が、異なる速度で移動し、ＳＴＡの別のサブセットに影響を与えうるので、いくつかのＳＴＡへのマルチ・パスは、他のものよりもより多くのドップラを有しうる。
【０００９】
したがって、ＣＳＩフィードバックの単一レートが、無線システム内でサポートされているすべてのＳＴＡのために利用されている場合、不十分なフィードバック・レートを持つＳＴＡのための不正確なビームフォーミングによって、および／または、不必要に高いフィードバック・レートを持つＳＴＡのための過度なフィードバック・オーバヘッドによって、システム・パフォーマンスが悪化しうる。
【００１０】
従来のスキームでは、移動または一時的なチャネル変動の観点から、最悪ケースのユーザのものと一致したレートでＣＳＩフィードバックが生じる。さまざまなチャネル条件を経験するＳＴＡからなるＳＤＭＡシステムの場合、すべてのＳＴＡのために、どの単一のＣＳＩフィードバック・レートも適切ではない。最悪ケースのユーザに提供することは、比較的変化のないチャネル条件にあるＳＴＡに対して、高い動的なチャネルにおけるレートと同じレートでＣＳＩをフィードバックさせることによって、チャネル・リソースを不必要に浪費させることになるだろう。
【００１１】
例えば、イボリューション・データ・オプティマイズド（ＥＶ−ＤＯ）データ・レート制御チャネル（ＤＲＣ）の場合、「チャネル状態」情報は、受信されたパイロット信号対干渉および雑音比（ＳＩＮＲ）を反映している。そして、次の送信のためのレート選択を容易にするために、ＳＴＡによって送信される。この情報は、すべてのユーザのために固定レートで、恐らくは、最悪ケースの予測される移動状態に関連付けられたチャネル変動を追跡するのに十分なレートで更新される。このチャネル状態フィードバックのレートは、静止したユーザに対しては不必要に高くなりうる。しかしながら、この場合、ＤＲＣは、最小のオーバヘッドを提供するように設計されている。ＳＤＭＡシステムにおけるＣＳＩは、ＡＰにおける複雑なビームフォーミングをサポートするために使用されているので、このフィードバックを、ＥＶ−ＤＯ設計で達成される程度に圧縮または簡素化することは可能ではないことがありうる。
【００１２】
別の例として、送信ビームフォーミングをサポートする電気電子学会（ＩＥＥＥ）８０２．１１ｎ規格の場合、ＣＳＩが送信されるレートは指定されておらず、実装問題と考えられる。対照的に、ＩＥＥＥ  ８０２．１１ａｃ（超高スループット（ＶＨＴ））規格における複数のＳＤＭＡユーザのためのＣＳＩフィードバックの潜在的に高いオーバヘッドによって、および、粗悪なＳＴＡによるＣＳＩフィードバック・メカニズムの潜在的な悪態によって標準的な仕様におけるＣＳＩフィードバックのためのプロトコルを指定することが所望されうる。
【発明の概要】
【００１３】
本開示のある態様は、無線通信のための方法を提供する。この方法は一般に、単一ユーザ（ＳＵ）通信および複数ユーザ（ＭＵ）通信のためのサウンディング・フィードバックのための統一された構成を、装置において生成することと、ここで、サウンディング・フィードバックは、装置に関連付けられたチャネルの１または複数の特異値、または、１または複数のビームフォーミング行列のうちの少なくとも１つを備える、サウンディング・フィードバックをチャネルで送信することと、を含む。
【００１４】
本開示のある態様は、無線通信のための装置を提供する。この装置は一般に、単一ユーザ（ＳＵ）通信および複数ユーザ（ＭＵ）通信のためのサウンディング・フィードバックのための統一された構成を生成する手段と、ここで、サウンディング・フィードバックは、装置に関連付けられたチャネルの１または複数の特異値、または、１または複数のビームフォーミング行列のうちの少なくとも１つを備える、サウンディング・フィードバックをチャネルで送信する手段と、を含む。
【００１５】
本開示のある態様は、無線通信のための装置を提供する。この装置は一般に、単一ユーザ（ＳＵ）通信および複数ユーザ（ＭＵ）通信のためのサウンディング・フィードバックのための統一された構成を生成するように構成された回路と、ここで、サウンディング・フィードバックは、装置に関連付けられたチャネルの１または複数の特異値、または、１または複数のビームフォーミング行列のうちの少なくとも１つを備える、サウンディング・フィードバックをチャネルで送信するように構成された送信機と、を含む。
【００１６】
本開示のある態様は、無線通信のために実行可能な命令群を含むコンピュータ読取可能な媒体を提供する。これら実行可能な命令群は一般に、単一ユーザ（ＳＵ）通信および複数ユーザ（ＭＵ）通信のためのサウンディング・フィードバックのための統一された構成を、装置において生成することと、ここで、サウンディング・フィードバックは、装置に関連付けられたチャネルの１または複数の特異値、または、１または複数のビームフォーミング行列のうちの少なくとも１つを備える、サウンディング・フィードバックをチャネルで送信することと、のための命令群を含む。
【００１７】
ある態様は、アクセス端末を提供する。このアクセス端末は一般に、少なくとも１つのアンテナと、単一ユーザ（ＳＵ）通信および複数ユーザ（ＭＵ）通信のためのサウンディング・フィードバックのための統一された構成を生成するように構成された回路と、ここで、サウンディング・フィードバックは、アクセス端末に関連付けられたチャネルの１または複数の特異値、または、１または複数のビームフォーミング行列のうちの少なくとも１つを備える、少なくとも１つのアンテナによって、チャネルを介してサウンディング・フィードバックを送信するように構成された送信機と、を含む。
【図面の簡単な説明】
【００１８】
本開示の前述した特徴が、より詳細に理解される方式で、簡潔に要約された具体的な記載が、態様に対する参照によってなされている。そして、それらの幾つかは、添付図面で例示されている。
【００１９】
しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークを例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがって、サウンディング・フィードバックが、２０ＭＨｚおよび４０ＭＨｚのチャネル帯域幅のために送信されるキャリアの例を例示する。
【図５】図５は、本開示のある態様にしたがって、サウンディング・フィードバックが、８０／１６０ＭＨｚのチャネル帯域幅のために送信されるキャリアの例を例示する。
【図６】図６は、本開示のある態様にしたがって、サウンディング・フィードバックが、２０ＭＨｚのチャネル帯域幅のために送信されるキャリアの別の例を例示する。
【図７】図７は、本開示のある態様にしたがって、サウンディング・フィードバックが、４０ＭＨｚのチャネル帯域幅のために送信されるキャリアの別の例を例示する。
【図８】図８は、本開示のある態様にしたがって、サウンディング・フィードバックが、８０／１６０ＭＨｚのチャネル帯域幅のために送信されるキャリアの例を例示する。
【図９】図９は、本開示のある態様にしたがって、ユーザ局（ＳＴＡ）からサウンディング・フィードバックを送信するための動作の例を例示する。
【図９Ａ】図９Ａは、図９の動作の例を実行することができる構成要素の例を例示する。
【発明を実施するための形態】
【００２０】
本開示のさまざまな態様は、添付図面を参照して以下により十分に記載される。しかしながら、本開示は、異なる多くの形態で具体化され、本開示を通じて示されたどのような具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２１】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００２２】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２３】
（典型的な無線通信システム）  
本明細書に記載された技術は、シングル・キャリア送信に基づく通信システムを含む、さまざまなブロードバンド無線通信システムのために使用されうる。本明細書で開示された態様は、例えば、ミリ・メートル波信号を含む超広帯域（ＵＭＢ）信号を適用するシステムに有利でありうる。しかしながら、他の符号化信号が同様の利点から利益を得るので、本開示は、このようなシステムに限定されるとは意図されていない。
【００２４】
本明細書に記載された教示は、さまざまな有線装置または無線装置（例えば、ノード）へ組み込まれうる（例えば、これら内で実行されるか、これらによって実施される）いくつかの態様では、ノードは、無線ノードを備える。このような無線ノードは、例えば、有線または無線による通信リンクによる（例えば、インターネットまたはセルラ・ネットワークのような広域ネットワークのような）ネットワークへの、または、ネットワークのための接続を提供しうる。いくつかの態様では、本明細書における教示したがって実施される無線ノードは、アクセス・ポイントまたはアクセス端末を備えうる。
【００２５】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。いくつかの実装では、アクセス・ポイントは、セット・トップ・ボックス・キオスク、メディア・センタ、または、無線媒体または有線媒体を介して通信するように構成されたその他任意の適切なデバイスを備えうる。
【００２６】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、タブレット、エンタティメント・デバイス（例えば、音楽またはビデオ・デバイス、または衛星ラジオ）、テレビ・ディスプレイ、フリップ・カム、セキュリティ・ビデオカメラ、デジタル・ビデオ・レコーダ（ＤＶＲ）、全地球測位システム・デバイス、あるいは無線媒体または有線媒体によって通信するように構成されたその他任意の適切なデバイスに組み入れられうる。
【００２７】
図１は、アクセス・ポイントおよびユーザ端末を備えた多元接続ＭＩＭＯシステム１００を例示する。簡略のために、図１には、１つのアクセス・ポイント１１０だけしか示されていない。アクセス・ポイント（ＡＰ）は、一般に、ユーザ端末と通信する固定局であり、基地局、またはその他いくつかの用語でも称されうる。ユーザ端末は、据置式または移動式であり、移動局、局（ＳＴＡ）、クライアント、無線デバイス、またはその他いくつかの用語でも称されうる。ユーザ端末は、例えばセルラ電話、携帯情報端末（ＰＤＡ）、ハンドヘルド・デバイス、無線モデム、ラップトップ・コンピュータ、パーソナル・コンピュータ等のような無線デバイスでありうる。
【００２８】
アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００２９】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｎｕ個の選択されたユーザ端末１２０のセットは、集合的に、ダウンリンク送信のための複数の出力と、アップリンク送信のための複数の入力とを示す。ある場合では、Ｎｕ個のユーザ端末のためのデータ・シンボル・ストリームが、ある手段によって、符号、周波数、または時間で多重化されていない場合、Ｎａｐ≧Ｎｕ≧１を有することが所望されうる。データ・シンボル・ストリームが、ＣＤＭＡで異なる符号チャネルを用いて、ＯＦＤＭでサブ帯域の別のセットを用いて、等で多重化されうるのであれば、Ｎｕは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｎｕ個の選択されたユーザ端末は、同じまたは異なる数のアンテナを有しうる。
【００３０】
ＭＩＭＯシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ＭＩＭＯシステム１００は、６０ＧＨｚ帯域で動作する高速無線ローカル・エリア・ネットワーク（ＷＬＡＮ）を表しうる。
【００３１】
図２は、ＭＩＭＯシステム１００におけるアクセス・ポイント１１０と２つのユーザ端末１２０ｍ，１２０ｘのブロック図を示す。アクセス・ポイント１１０は、Ｎａｐ個のアンテナ２２４ａ乃至２２４ａｐを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、周波数チャネルを介してデータを送信することが可能な、独立して動作する装置またはデバイスであり、「受信エンティティ」は、周波数チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００３２】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データ｛ｄｕｐ，ｍ｝を処理（例えば、符号化、インタリーブ、および変調）し、データ・シンボル・ストリーム｛ｓｕｐ，ｍ｝を提供する。ＴＸ空間プロセッサ２９０は、データ・シンボル・ストリーム｛ｓｕｐ，ｍ｝について空間処理を実行し、Ｎｕｔ，ｍ個のアンテナのためにＮｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイント１１０へ送信のために、Ｎｕｔ，ｍ個のアップリンク信号を提供する。
【００３３】
Ｎｕｐ個のユーザ端末は、アップリンクにおける同時送信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００３４】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、連続干渉除去（ＳＩＣ）、またはその他いくつかの技術にしたがって実行される。復元された各アップリンク・データ・シンボル・ストリーム｛ｓｕｍ，ｍ｝は、それぞれのユーザ端末によって送信されたデータ・シンボル・ストリーム｛ｓｕｍ，ｍ｝の推定値である。ＲＸデータ・プロセッサ２４２は、復号されたデータを取得するために、そのストリームのために使用されたレートにしたがって、復元された各アップリンク・データ・シンボル・ストリーム｛ｓｕｐ，ｍ｝を処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００３５】
ダウンリンクでは、アクセス・ポイント１１０において、ＴＸデータ・プロセッサ２１０は、ダウンリンク送信のためにスケジュールされたＮｄｎ個のユーザ端末のためのトラフィック・データをデータ・ソース２０８から、制御データをコントローラ２３０から、そして、恐らくはその他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて空間処理を実行し、Ｎａｐ個のアンテナのために、Ｎａｐ個の送信シンボルを提供する。各送信機ユニット（ＴＭＴＲ）２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のため、Ｎａｐ個のダウンリンク信号を提供する。
【００３６】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信機ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３７】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３８】
本開示のある態様によれば、ＩＥＥＥ  ８０２．１１ａｃ（超高スループット（ＶＨＴ））無線通信規格のための統一されたサウンディング・フィードバック・メカニズムがサポートされうる。このメカニズムは、単一ユーザ（ＳＵ）とマルチ・ユーザ（ＭＵ）との両方のフィードバックのために効率的に動作しうる。本開示で提案されているメカニズムは、単一の受信機ステート・マシン、単一のサウンディング・フレーム交換、（例えば、ユーザ端末（単数または複数）１２０からの）サウンディング・フィードバックを要求しているアクセス・ポイント（例えば、アクセス・ポイント１１０）からの単一のヌル・データ・パケット（ＮＤＰ）送信、および、統一されたフィードバック構成となりうる。
【００３９】
図３は、システム１００内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、アクセス・ポイント１１０またはユーザ端末１２０でありうる。
【００４０】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００４１】
無線デバイス３０２は、無線デバイス３０２と遠隔位置との間でのデータの送信および受信を可能にする送信機３１０および受信機３１２を含みうるハウジング３０８をも含みうる。送信機３１０および受信機３１２は、トランシーバ３１４に結合されうる。複数の送信アンテナ３１６が、ハウジング３０８に接続され、トランシーバ３１４に電気的に接続されている。無線デバイス３０２はまた、（図示しない）複数の送信機、複数の受信機、および複数のトランシーバを含みうる。
【００４２】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４３】
無線デバイス３０２のさまざまな構成要素を、データ・バスに加えて電力バス、制御信号バス、およびステータス信号バスを含むことができるバス・システム３２２によってともに結合することができる。
【００４４】
本開示のある態様は、ＳＵとＭＵとの両方のフィードバックのために効率的に動作しうる、ＶＨＴ無線通信システムのための統一されたサウンディング・フィードバック・メカニズムをサポートする。本開示は、単一の受信機ステート・マシン、単一のサウンディング・フレーム交換、（例えば、無線デバイス３０２のようなユーザ端末からの）サウンディング・フィードバックを要求しているアクセス・ポイント（例えば、無線デバイス３０２）からの単一のＮＤＰ送信、および、統一されたフィードバック構成となりうるメカニズムを提案する。
【００４５】
（ＶＨＴシステムのためのサウンディング・フィードバックの送信）  
本開示のある態様は、無線ローカル・エリア・ネットワーク（ＬＡＮ）システムにおいて、ユーザ局（ＳＴＡ）からサウンディング・フィードバックを送信することをサポートする。このフィードバックは、ある数のビームフォーミング行列と、ＳＴＡに関連付けられた無線チャネルのある数の特異値とを備えうる。さらに、サウンディング・フィードバックは、このフィードバックが、ＳＵフィードバックに対応するか、またはＭＵフィードバックに対応するかを示すためのビットを備えうる。
【００４６】
フィードバックされているビームフォーミング行列は、Ｖ行列（すなわち、固有値ベクトル行列）の１または複数の列を備えうる。Ｖ行列は、無線チャネルを表す行列の特異値分解（ＳＶＤ）に基づきうる。本開示の１つの態様では、行列Ｖは、無線チャネルの正しい固有ベクトルの行列を備えうる。態様では、ビームフォーミング行列は、Ｎｇ（Ｎｇ≧１）個のトーン毎にサンプルされ、恐らくは、例えばパイロット・トーンのような選択されたいくつかのトーンを除外しつつ、ガード帯域近傍のトーンおよびＤＣトーンを含んでいる。例えば２０ＭＨｚ、４０ＭＨｚ、８０ＭＨｚおよび１６０ＭＨｚのチャネル帯域幅のような異なるチャネル帯域幅のために、異なるトーン数が考慮されうる。
【００４７】
本開示の１つの態様では、パラメータＮｇは、チャネルの周波数選択性にしたがって選択されうる。Ｎｇ（Ｎｇ≧１）個のトーン毎にサンプルされるビームフォーミング行列は、フォードバックの送信前に、周波数にわたって平滑化されうる。
【００４８】
サウンディング・フィードバックで送信される特異値（固有値）は、無線チャネルの固有値の行列の対角入力のサブセットを備えうる。これらの特異値は、Ｎｖ個のトーン毎にサンプルされうる。ここで、Ｎｖ≧Ｎｇである。本開示の１つの態様では、パラメータＮｖは、チャネルの周波数選択性にしたがって選択されうる。
【００４９】
本開示のある態様の場合、サウンディング・フィードバックのビームフォーミング行列は、Ｇｉｖｅｎの回転角度ψ、φを用いた圧縮方式で送信されうる（これら角度の名称は、ＩＥＥＥ  ８０２．１１ｎ仕様で使用されているものと同じである）。これら角度のビット幅は、サウンディング・フィードバックがＭＵフィードバックであるかＳＵフィードバックであるかに依存して変化しうる。本開示の１つの態様では、ＭＵ−ＭＩＭＯフィードバックの場合、角度ψについて５ビットの分解能が使用され、角度φについて７ビットの分解能が使用されうる。別の態様では、ＭＵ−ＭＩＭＯフィードバックの場合、角度ψについて６ビットの分解能が使用され、角度φについて８ビットの分解能が使用されうる。さらに別の態様では、ＭＵ−ＭＩＭＯフィードバックの場合、角度ψについて７ビットの分解能が使用され、角度φについて９ビットの分解能が使用されうる。
【００５０】
ＭＵ−ＭＩＭＯダウンリンク送信を受信することが可能なＳＴＡは、サウンディング・フィードバックに、特異値と、例えば、行列Ｖのフィードバックのための最低ランク、トーン毎の信号対雑音比（ＳＮＲ）等のような追加情報とを含むことが要求されうる。一方、ＭＵ−ＭＩＭＯダウンリンク送信を受信することが可能ではないＳＴＡは、サウンディング・フィードバックの追加フィールドのいくつか（例えば、特異値、行列Ｖのランク、およびトーン毎のＳＮＲに関する情報等に関連付けられたフィールド）に、ヌルを埋めることができうる。
【００５１】
本開示のある態様の場合、サウンディング・フィードバックの一部として行列Ｖが送信されるトーンは、図４−８において与えられるように、２０ＭＨｚ、４０ＭＨｚ、および８０／１６０ＭＨｚのチャネル帯域幅のためのトーン・インデクスを備えうる。図４−８におけるパラメータＮｓは、サウンディング・フィードバックが送信されうるトーンの数を示す。
【００５２】
本開示の１つの態様では、サウンディング・フィードバックで送信されるビームフォーミング行列は、Ｖ行列の１または複数の列を備え、Ｎｇ（Ｎｇ≧１）個のトーン毎にサンプルされうる。さらに、ビームフォーミング行列は、帯域端の周囲の少数のトーンと、ＤＣの周囲の少数のトーンとのうちの少なくとも１つにおけるＶ行列の１または複数の列を備えうる。これは、図６−８に例示される。
【００５３】
図９は、本開示のある態様にしたがって、ユーザ局（ＳＴＡ）（例えば、アクセス端末）からサウンディング・フィードバックを送信するための動作９００の例を例示する。９０２では、ＳＴＡは、単一ユーザ（ＳＵ）通信およびマルチ・ユーザ（ＭＵ）通信のためのサウンディング・フィードバックのための統一された構成を生成しうる。サウンディング・フィードバックは、ＳＴＡに関連付けられたチャネルの１または複数の特異値、または、１または複数のビームフォーミング行列のうちの少なくとも１つを備えうる。９０４では、ＳＴＡは、サウンディング・フィードバックを、チャネルで送信しうる。１または複数のビームフォーミング行列は、ダウンリンク送信のビームフォーミングのためのサウンディング・フィードバックを受信するアクセス・ポイントにおいて利用されうる。本開示の態様では、１または複数の特異値が、空間−時間ストリーム毎の信号対雑音比（ＳＮＲ）で伝送されうる。
【００５４】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。例えば、図９に例示される動作９００は、図９Ａに例示される手段９００Ａに対応する。
【００５５】
例えば、生成する手段は、例えば、ユーザ端末１２０の図２からのＴＸデータ・プロセッサ２８８、または、無線デバイス３０２の図３からのプロセッサ３０４のような特定用途向け集積回路を備えうる。送信する手段は、例えば、ユーザ端末１２０の図２からの送信機２５４、または、無線デバイス３０２の図３からの送信機３１０のような送信機を備えうる。含める手段は、例えばＴＸデータ・プロセッサ２２８またはプロセッサ３０４のような特定用途向け集積回路を備えうる。埋める手段は、例えばＴＸデータ・プロセッサ２８８またはプロセッサ３０４のような特定用途向け集積回路を備えうる。平滑化する手段は、例えばＴＸデータ・プロセッサ２８８またはプロセッサ３０４のような特定用途向け集積回路を備えうる。
【００５６】
本明細書で使用される場合、用語「決定すること」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００５７】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００５８】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５９】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００６０】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００６１】
記載された機能は、ハードウェア、ソフトウェア、ファームウェア、またはこれら任意の組み合わせによって実現されうる。ハードウェアで実現される場合、ハードウェア構成の例は、無線ノード内の処理システムを備えうる。処理システムは、バス・アーキテクチャを用いて実現されうる。バスは、全体的な設計制約および処理システムの特定の用途に依存して、任意の数の相互接続バスおよびブリッジを含みうる。バスは、プロセッサ、機械読取可能な媒体、およびバス・インタフェースを含む回路をともにリンクしうる。バス・インタフェースは、とりわけ、ネットワーク・アダプタを、バスを介して、処理システムへ接続するために使用されうる。ネットワーク・アダプタは、物理レイヤの信号処理機能を実現するために使用されうる。ユーザ端末１２０（図１を参照）の場合には、ユーザ・インタフェース（例えば、キーパッド、ディスプレイ、マウス、ジョイスティック等）も、バスに接続されうる。バスはさらに、例えば、タイミング・ソース、周辺機器、電圧制御装置、および電力管理回路等のようなその他さまざまな回路をリンクしうる。これらは、当該技術分野で良く知られているので、さらなる説明はしない。
【００６２】
プロセッサは、バスの管理、および、機械読取可能な媒体に格納されたソフトウェアの実行を含む一般的な処理を担当する。プロセッサは、１または複数の汎用プロセッサおよび／または特別目的プロセッサを用いて実現されうる。例は、マイクロ・プロセッサ、マイクロコントローラ、ＤＳＰプロセッサ、および、ソフトウェアを実行することができるその他の回路、を含みうる。ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。機械読取可能な媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。機械読取可能な媒体は、コンピュータ・プログラム製品内に組み込まれうる。コンピュータ・プログラム製品は、パッケージング・マテリアルを備えうる。
【００６３】
ハードウェアによる実施では、機械読取可能な媒体は、プロセッサとは別の処理システムの一部でありうる。しかしながら、当業者であれば容易に理解するであろうが、機械読取可能な媒体またはその任意の部分は、処理システムの外部にありうる。例によれば、機械読取可能な媒体は、伝送路、データによって変調されたキャリア波、および／または、無線ノードから分離したコンピュータ製品を含みうる。これらすべては、バス・インタフェースを介してプロセッサによってアクセスされうる。あるいは、または、それに加えて、機械読取可能な媒体またはこれら任意の部分は、キャッシュおよび／または汎用レジスタ・ファイルによくあるように、プロセッサへ統合されうる。
【００６４】
処理システムは、プロセッサ機能を提供する１または複数のマイクロ・プロセッサと、機械読取可能な媒体のうちの少なくとも一部を提供する外部メモリとを備える汎用処理システムとして構成されうる。これらすべては、外部バス・アーキテクチャによって、他の支援回路とリンクされている。あるいは、処理システムは、プロセッサ、バス・インタフェース、アクセス端末の場合におけるユーザ・インタフェース、支援回路、および、単一チップに統合された機械読取可能な媒体のうちの少なくとも一部を備えるＡＳＩＣ（特定用途向け集積回路）で実現されうるか、または、１または複数のＦＰＧＡ（フィールド・プログラマブル・ゲート・アレイ）、ＰＬＤ（プログラマブル・ロジック・デバイス）、コントローラ、ステート・マシン、ゲート・ロジック、ディスクリート・ハードウェア構成要素、または、その他任意の適切な回路、または、本開示によって説明されたさまざまな機能を実行しうる回路の任意の組み合わせで実現されうる。当業者であれば、システム全体に課せられる全体的な設計制約および特定のアプリケーションに依存して、処理システムのために、記載された機能をどうやって最良に実施するかを認識するだろう。
【００６５】
機械読取可能な媒体は、多くのソフトウェア・モジュールを備えうる。ソフトウェア・モジュールは、プロセッサによって実行された場合、処理システムに対して、さまざまな機能を実行させるための命令群を含む。ソフトウェア・モジュールは、送信モジュールおよび受信モジュールを含みうる。ソフトウェア・モジュールはそれぞれ、単一のストレージ・デバイス内に存在するか、または、複数のストレージ・デバイスにわたって分散されうる。例によれば、ソフトウェア・モジュールは、トリガ・イベントが生じると、ハード・ドライブからＲＡＭへロードされうる。ソフトウェア・モジュールの実行中、プロセッサは、アクセス速度を増加させるために、命令のうちのいくつかをキャッシュにロードしうる。その後、プロセッサによる実行のために、１または複数のキャッシュ・ラインが、汎用レジスタ・ファイルへロードされうる。以下に示すソフトウェア・モジュールの機能を参照する場合、このような機能は、このソフトウェア・モジュールからの命令群を実行するときに、プロセッサによって実施されることが理解されるだろう。
【００６６】
ソフトウェアで実施される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００６７】
したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００６８】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００６９】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００７０】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2013541889.tif 000003
【図２】
2013541889.tif 000004
【図３】
2013541889.tif 000005
【図４】
2013541889.tif 000006
【図５】
2013541889.tif 000007
【図６】
2013541889.tif 000008
【図７】
2013541889.tif 000009
【図８】
2013541889.tif 000010
【図９】
2013541889.tif 000011
【図９Ａ】
2013541889.tif 000012
【国際調査報告】
2013541889.tif 000013
2013541889.tif 000014
2013541889.tif 000015